【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】光チャネルの性能を最適化するために光伝送システムにおいて使用される方法において、
（Ａ）所定の光波長を有する、受信された所定の光チャネルを選択するステップと、
（Ｂ）前記選択された所定の光チャネルの所定の伝送性能計量値を評価する第一評価ステップと、
（Ｃ）評価中の前記所定の計量値が、許容基準値内にあるか否かを判定する第一ステップと、
（Ｄ）許容基準値内になければ、前記選択された所定の光チャネルと関連した第一制御可能光出力調節器を調節するために、第一制御メッセージを生成するステップと、（Ｅ）前記選択された所定の光チャネルの前記所定の計量値を最適化するように、前記第一制御可能出力調節器を調整するために、前記第一制御メッセージを供給するステップと、を含んでいることを特徴とする方法。
【請求項２】前記第一制御可能光チャネル出力調節器が、第一可変光減衰器であり、さらに、評価中の前記所定の計量値を許容基準値内にするように、前記第一可変減衰器の減衰値を調節するために、前記第一制御メッセージを使用するステップを有することを特徴とする請求項１に記載の方法。
【請求項３】さらに、（Ｆ）前記選択された所定の光チャネルの前記所定の伝送性能の計量値を評価する第二評価ステップと、（Ｇ）評価中の前記所定の計量値が許容基準値内にあるか否かを判定するステップと、（Ｈ）許容基準値内になければ、前記所定の計量値が許容基準値内にあるまでステップ（Ｄ）〜（Ｈ）を繰り返すステップと、を有することを特徴とする請求項１に記載の方法。
【請求項４】前記光伝送システムが所定の波長をそれぞれ有する光チャネルを伝送し、さらに、（Ｉ）最適化された前記選択された所定の光チャネルが、前記光チャネルの最後の光チャネルであるか否かを判定するステップと、（Ｊ）そうでなければ、他の所定の光波長を有する他の所定の光を選択し、かつ、ステップ（Ｉ）が前記選択された所定の光チャネルの最後のチャネルが最適化されたことを示すまでステップ（Ｂ）〜（Ｊ）を繰り返すステップと、を有することを特徴とする請求項３に記載の方法。
【請求項５】さらに、前記制御可能光出力調節器が調節されたか否かを判定するステップと、そうでなければ、前記第一制御メッセージを送り、かつ、前記第一制御可能光出力調節器が調節されたことが判定されるまで、前記第一制御可能光出力調節器が調節されたか否かを判定するステップとを有することを特徴とする請求項３に記載の方法。
【請求項６】さらに、（Ｋ）前記判定の第一ステップが、前記計量値が許容基準値内にないことを示すならば、前記選択された所定の光チャネルの前記所定の光波長のレーザーソースを有するソースノードを決定するステップ、を有することを特徴とする請求項１に記載の方法。
【請求項７】さらに、（Ｌ）前記第一制御メッセージを所定の光チャネルに挿入するステップと、（Ｍ）前記所定の光チャネルを前記ソースノードへ伝送するステップと、を有することを特徴とする請求項６に記載の方法。
【請求項８】前記所定の光チャネルが監視光チャネルであることを特徴とする請求項７に記載の方法。
【請求項９】前記所定の光チャネルがオーバーヘッド部分を有し、前記第一制御メッセージが前記所定の光チャネルの前記オーバーヘッド部分の領域へ挿入されることを特徴とする請求項７に記載の方法。
【請求項１０】前記制御可能出力調節器が第一可変光減衰器を有し、（Ｎ）前記所定の光チャネルを受信するステップと、（Ｏ）前記選択された所定の光チャネルの性能を最適化するように、前記第一可変光減衰器の減衰値を調節するために、前記第一制御メッセージを使用するステップと、を有することを特徴とする請求項７に記載の方法。
【請求項１１】前記光伝送システムが、それぞれが所定の波長を有する光チャネルを送り、さらに、（Ｐ）最適化された前記選択された所定の光チャネルが前記一つ以上の光チャネルの最後の光チャネルであるか否かを判定するステップと、（Ｑ）そうでないならば、他の所定の光チャネル波長を有する他の光チャネルを選択し、ステップ（Ｐ）が最適化された前記選択された所定の光チャネルの最後の光チャネルを示すまで、ステップ（Ｂ）〜（Ｅ）およびステップ（Ｋ）〜（Ｑ）を繰り返すステップと、を有することを特徴とする請求項１０に記載の方法。
【請求項１２】さらに、前記第一可変光減衰器が調節されたか否かを判定するステップと、そうでないならば、前記第一可変光減衰器が調節されたことが判定されるまで、前記第一可変光減衰器が調節されたか否かを判定するステップとを有することを特徴とする請求項１１に記載の方法。
【請求項１３】さらに、（Ｒ）前記第一判定ステップが、前記計量値が許容基準値内にないことを示すならば、前記選択された所定の光チャネルの前記所定の光波長のレーザーソースを有するソースノードを決定するステップであって、前記第一制御可能出力調節器は前記所定の光波長レーザーソースと関連しているステップと、（Ｓ）前記所定の伝送性能計量値を評価する第二ステップと、（Ｔ）前記所定の伝送性能計量値が前記許容基準値内にあるか否かを判定する第二判定ステップと、（Ｕ）ステップ（Ｔ）の結果が否定的であるならば、第二制御メッセージを生成するステップと、（Ｖ）前記所定の伝送性能計量値を最適化するように、前記選択された所定の光チャネルと関連した第二制御可能出力器を調節するために、前記第二制御メッセージを送るステップと、を有することを特徴とする請求項１に記載の方法。
【請求項１４】さらに、前記所定の計量値が前記許容基準値内になるまでステップ（Ｓ）〜（Ｖ）を繰り返すことを特徴とする請求項１３に記載の方法。
【請求項１５】前記光伝送システムが、それぞれが所定の波長を有する光チャネルを伝送し、さらに、（Ｗ）最適化された前記所定の光チャネルが前記光チャネルの最後の光チャネルであるか否かを判定するステップと、（Ｘ）そうでないならば、他の所定の光波長を有する他の所定の光チャネルを選択し、ステップ（Ｗ）が前記所定の光チャネルの最後の光チャネルが最適化されたことを示すまで、ステップ（Ｂ）〜（Ｅ）およびステップ（Ｒ）〜（Ｘ）を繰り返すステップとを有することを特徴とする請求項１４に記載の方法。
【請求項１６】少なくとも前記第一制御可能光出力調節器が第一可変光減衰器であり、少なくとも前記第二制御可能出力調節器が第二可変光減衰器であり、さらに、評価中の前記所定の計量値を前記許容基準値内するように、前記第一可変光減衰器の減衰値を調節するために、前記第一制御メッセージを使用するステップと、評価中の前記所定の計量値を前記許容基準値内にするように、前記第二可変光減衰器の減衰値を調節するために、前記第二制御メッセージを使用するステップとを有することを特徴とする請求項１３に記載の方法。
【請求項１７】さらに、（ＡＡ）所定の伝送性能計量値を評価する第二評価ステップと、（ＢＢ）前記所定の伝送性能計量値が許容基準値内にあるか否かを判定する第二判定ステップと、（ＣＣ）ステップ（ＢＢ）の結果がそうでないならば、前記選択された所定の光チャネルの前記所定の光波長のレーザーソースを有するソースノードを決定するステップと、（ＤＤ）第二制御メッセージを生成するステップと、（ＥＥ）前記所定の伝送性能計量値を最適化するように、前記所定の光波長と関連した第二制御可能出力器を調節するため、前記第二制御メッセージを送るステップと、を有することを特徴とする請求項１に記載の方法。
【請求項１８】さらに、前記所定の計量値が前記許容基準値内にあるまで、ステップ（ＡＡ）〜（ＥＥ）を繰り返すステップを有することを特徴とする請求項１７に記載の方法。
【請求項１９】前記光伝送システムが所定の波長をそれぞれ有する光チャネルを伝送し、さらに、（ＦＦ）最適化された前記所定の光チャネルが前記一つ以上の光チャネルの最後の光チャネルであるか否かを判定するステップと、（ＧＧ）そうでないならば、他の所定の光波長を有する他の所定の光波長を選択し、ステップ（ＦＦ）が前記所定の光チャネルの最後の光チャネルが最適化されたことを示すまで、ステップ（Ｂ）〜（Ｄ）、（Ｒ）および（ＡＡ）〜（ＧＧ）を繰り返すステップと、を有することを特徴とする請求項１８に記載の方法。
【請求項２０】少なくとも前記第一制御可能光出力調節器が第一可変光減衰器であり、少なくとも前記第二制御可能光出力調節器が第二可変光減衰器であり、さらに、評価中の前記所定の計量値を前記許容基準値内にするように、前記第一可変光減衰器の減衰値を調節するために、前記第一制御メッセージを使用するステップと、評価中の前記所定の計量値を前記許容基準値内にするように、前記第二可変光減衰器の減衰値を調節するために、前記第二制御メッセージを使用するステップとを有することを特徴とする請求項１７に記載の方法。
【請求項２１】
光チャネルの性能を最適化するために光伝送システムで使用される方法において、
（Ａ）所定の光波長を有する、受信された所定の光チャネルを選択するステップと、
（Ｂ）前記所定の光チャネルの所定の伝送性能計量値を評価する第一ステップと、
（Ｃ）評価中の前記所定の計量値が許容基準値内にあるか否かを判定する第一ステップと、
（Ｄ）ステップ（Ｃ）の結果が否定的であるならば、前記所定の伝送性能計量値が実質的に前記許容基準値内にあるか否かを判定するステップと、
（Ｅ）ステップ（Ｄ）の結果が否定的であるならば、前記所定の光チャネルの前記所定の光波長のレーザーソースを有するソースノードを決定するステップと、
（Ｆ）前記決定されたレーザーソースと関連した第一制御可能光出力調節器を少なくとも調節するために、第一制御メッセージを発生するステップと、
（Ｇ）前記所定の光チャネルの前記所定の計量値を最適化するように、前記第一制御可能出力調節器を調節するため、前記第一制御メッセージを前記ソースノードへ送るステップと、を含んでいることを特徴とする前記方法。
【請求項２２】ステップ（Ｄ）の結果が肯定的であるならば、（Ｈ）前記選択された受信光チャネルと関連した第二制御可能光出力調節器を少なくとも調節するため、第二制御メッセージを発生するステップと、（Ｉ）前記所定の計量値を最適化するように、少なくとも前記第二制御可能光出力調節器を調節するため、前記制御メッセージを送るステップと、を有することを特徴とする請求項２１に記載の方法。
【請求項２３】さらに、（Ｊ）評価中の前記所定の計量値が許容基準値内にあるか否かを判定するステップと、（Ｋ）ステップ（Ｊ）の結果が否定的であるならば、ステップ（Ｊ）が肯定的な結果を生成するまでステップ（Ｈ）〜（Ｊ）を繰り返すステップと、を有することを特徴とする請求項２２に記載の方法。
【請求項２４】少なくとも前記第一制御可能光出力調節器が第一可変光減衰器であり、少なくとも前記第二制御可能出力調節器が第二可変光減衰器であり、さらに、評価中の前記所定の計量値を前記許容基準値内にするように、前記第一可変光減衰器の減衰値を調節するために、前記第一制御メッセージを使用するステップと、評価中の前記所定の計量値を前記許容基準値内にするように、前記第二可変光減衰器の減衰値を調節するために、前記第二制御メッセージを使用するステップとを有することを特徴とする請求項２３に記載の方法。
【請求項２５】光チャネルの性能を最適化するために光伝送システムで使用される方法において、（Ａ）所定の光の波長を有する、受信された所定の光チャネルを選択するステップと、（Ｂ）前記所定の光チャネルの所定の伝送性能計量値を評価する第一ステップと、（Ｃ）評価中の前記所定の計量値が許容基準値内にあるか否かを判定する第一ステップと、（Ｄ）ステップ（Ｃ）の結果が否定的であるならば、前記所定の光チャネルの前記所定の光波長のレーザーソースを有するソースノードを決定するステップと、 （Ｅ）前記判定されたレーザーソースと関連した第一制御可能光出力調節器を調節するため第一制御メッセージを発生するステップと、（Ｆ）選択された受信された所定の光チャネルと関連した第二制御可能光出力調節器を少なくとも調節するため、第二制御メッセージを発生するステップと、（Ｇ）前記所定の光チャネルの前記所定の計量値を最適化するように、前記第一制御可能出力調節器を調節するため、前記第一制御メッセージを前記ソースノードに伝送するステップと、（Ｈ）前記所定の光チャネルの前記所定の計量値を最適化するように、少なくとも前記第二制御可能出力調節器を調節するため、前記第一制御メッセージの前記伝送とほぼ同時に前記第二制御メッセージを送信するステップと、を含んでいることを特徴とする前記方法。
【請求項２６】前記伝送ステップと前記送信ステップがほぼ同時に行われることを特徴とする請求項２５に記載の方法。
【請求項２７】さらに、（Ｉ）評価中の前記所定の計量値が許容基準値内にあるか否かを判定するステップと、（Ｊ）ステップ（Ｉ）の結果が否定的であるならば、ステップ（Ｉ）が肯定的な結果を生成するまでステップ（Ｅ）〜（Ｉ）を繰り返すステップと、を有することを特徴とする請求項２６に記載の方法。
【請求項２８】少なくとも前記第一制御可能光出力調節器が第一可変光減衰器であり、少なくとも前記第二制御可能出力調節器が第二可変光減衰器であり、
さらに、評価中の前記所定の計量値を前記許容基準値内にするように、前記第一可変光減衰器の減衰値を調節するために、前記第一制御メッセージを使用するステップと、評価中の前記所定の計量値を前記許容基準値内にするように、前記第二可変光減衰器の減衰値を調節するために、前記第二制御メッセージを使用するステップとを有することを特徴とする請求項２６に記載の方法。
【請求項２９】
光チャネル性能を最適化するため光チャネル伝送システムで使用される装置において、
（Ａ）それぞれが異なる光波長を有する一つ以上の受信された所定の光チャネルを得る光デマルチプレクサと、
（Ｂ）前記一つ以上の受信された所定の光チャネルの所定の性能計量値を評価し、かつ、前記所定の光チャネルの選択された１つの光チャネルについて評価された前記所定の性能計量値が許容基準値内にあるか否かを判定するモニターと、
（Ｃ）前記所定の性能計量値が前記所定の許容基準値内にないとの前記モニターからの表示に応答して、前記所定の計量値を前記許容基準値内にするように、前記選択された所定の光チャネルと関連した第一制御可能光出力調節器の調節を制御するため、制御メッセージを生成し、かつ、前記第一制御メッセージを前記選択された所定の光チャネルと関連した前記第一制御可能光出力調節器へ送り、これにより、前記選択された所定の光チャネルの伝送性能が最適化されるコントローラと、を含んでいることを特徴とする前記装置。
【請求項３０】前記第一制御可能光出力調節器が、評価中の前記所定の計量値を前記許容基準値内にするように、前記第一可変減衰器の減衰値を調節するための前記第一制御メッセージに応答する、第一可変光減衰器であることを特徴とする請求項２９に記載の発明。
【請求項３１】前記コントローラが、前記選択された所定の光チャネルの前記所定の光波長のレーザーソースを有するソースノードを決定するために装着されていることを特徴とする請求項２９に記載の発明。
【請求項３２】さらに、前記第一制御メッセージを前記ソースノードへ伝送される光信号へ多重化する光マルチプレクサを有することを特徴とする請求項３１に記載の発明。
【請求項３３】前記コントローラが前記制御メッセージを光監視チャネルへ挿入するため装着されていることを特徴とする請求項３２に記載の発明。
【請求項３４】前記所定の光チャネルがオーバーヘッド部分を有し、前記コントローラがさらに、前記第一制御メッセージを前記所定の光チャネルの前記オーバーヘッド部分の領域へ挿入するため装着されていることを特徴とする請求項３２に記載の発明。
【請求項３５】さらに、前記受信された所定の光チャネルと関連した第二制御可能光出力器を有することを特徴とする請求項２９に記載の方法。
【請求項３６】前記所定の計量値が許容基準値内にあるか否かの評価と判定の結果に応答して、前記コントローラが、前記所定の計量値を前記許容基準値内にする方向へ前記第二制御可能光出力調節器を制御する第二制御メッセージを発生することを特徴とする請求項３５に記載の発明。
【請求項３７】前記第一制御可能光出力調節器が第一可変光減衰器であり、前記第二制御可能光調節器が第二可変光減衰器であることを特徴とする請求項３６に記載の発明。
【請求項３８】前記第一可変光減衰器がソースノードのレーザーソースと関連されており、前記コントローラが、前記所定の計量値が許容基準値内にないとの前記モニターからの指示に応答し、前記選択された所定の光チャネルと関連したレーザーソースを有するソースノードを決定し、前記光マルチプレクサが、前記第一光減衰器を制御する前記ソースノードへ光信号の前記第一制御メッセージを送ることを特徴とする請求項３７に記載の発明。
【請求項３９】前記第一可変光減衰器が、前記第一制御メッセージに応答して前記所定の計量値を前記許容基準値内になるような方向へ調節され、前記第二可変光減衰器の減衰値が、前記第二制御メッセージに応答して前記所定の計量値を前記許容基準値内になるような方向へ調節されることを特徴とする請求項３８に記載の発明。
【請求項４０】
光チャネルの性能を最適化するために光伝送システムで使用される装置において、（Ａ）入信する光信号から第一制御メッセージを得る光デマルチプレクサと、
（Ｂ）所定の光チャネルについて所定の光波長を発生するレーザーソースと、
（Ｃ）調節制御メッセージを発生するため、前記第一制御メッセージを供給されるコントローラと、
（Ｄ）前記レーザーソースと関連し、かつ、前記制御メッセージに応答して、前記レーザーソースから出力された光出力を調節して、前記所定の光チャネルの所定性能計量値を最適化する、第一制御可能光出力調節器と、を含んでいることを特徴とする前記装置。
【請求項４１】前記第一制御可能光出力調節器が第一可変光減衰器であることを特徴とする請求項４０に記載の発明。
【請求項４２】前記第一可変光減衰器が、前記第一制御メッセージに応答して前記所定の計量値が許容基準値内になるような方向へ調節されることを特徴とする請求項４１に記載の発明。
【請求項４３】
システムにおいて伝送される光チャネルの伝送性能を最適化するための複数のノードを有する光伝送システムで使用される装置において、
第一ノードにおいて、（Ａ）それぞれが異なる光波長を有する一つ又は複数の所定の光チャネルを得る第一光デマルチプレクサと、
（Ｂ）前記一つ又は複数の所定の光チャネルの所定の性能計量値を評価し、前記光チャネルの前記所定の光チャネルについて評価された前記所定の性能計量値が、許容基準値内にあるか否かを判定するモニターと、
（Ｃ）評価されている前記性能計量値が前記許容基準値内にないとき、前記所定の光チャネルの前記所定の光波長のレーザーソースを有するソースノードを決定し、かつ、前記所定の計量値を前記許容基準値内にするように、前記レーザーソースと関連した第一制御可能光出力調節器の調節を制御するための制御メッセージを生成する第一コントローラと、
（Ｄ）前記第一制御メッセージを前記ソースノードへ伝送される光信号へ多重化する第一光マルチプレクサと、
前記第一ソースノードにおいて、（Ｅ）入信する光信号から第一制御メッセージを得る第二光デマルチプレクサと、
（Ｆ）所定の光チャネルについて所定の光波長を発生するレーザーソースと、
（Ｇ）調節制御メッセージを発生するため、前記第一制御メッセージを供給される第二コントローラと、
（F）前記レーザーソースと関連し、かつ、前記制御メッセージに応答して、前記レーザーソースから出力された光出力を調節して、前記所定の光チャネルの所定性能計量値を最適化し、それによって前記所定の光チャネルの前記性能を最適化する第一制御可能光出力調節器と、を含んでいることを特徴とする前記装置。
【請求項４４】前記第一コントローラが前記第一制御メッセージを光監視チャネルへ挿入するように装着され、前記第一マルチプレクサが前記光監視チャネルを前記所定の光信号へ多重化することを特徴とする請求項４３に記載の発明。
【請求項４５】さらに前記第一ノードにおいて、前記所定の光チャネルと関連した第二制御可能光出力器を有することを特徴とする請求項４４に記載の発明。
【請求項４６】前記所定の計量値が許容基準値内にあるか否かを評価し、判定した結
果に応答して、前記第一コントローラが、前記第二制御可能光出力調節器を、前記所定の計量値を前記許容基準値内になる方向へ制御する第二制御メッセージを発生することを特徴とする請求項４５に記載の発明。
【請求項４７】前記第二制御可能光出力調節器が第二可変光減衰器であることを特徴とする請求項４６に記載の発明。
【請求項４８】前記第二可変光減衰器の減衰値が、前記第二制御メッセージに応答して、前記所定の計量値を許容基準値内になるように調節されることを特徴とする請求項４７に記載の発明。
【請求項４９】前記第一制御可能光出力調節器が第一可変光減衰器であることを特徴とする請求項４３に記載の発明。
【請求項５０】前記第一可変光減衰器の減衰値が、前記第一制御メッセージに応答して、前記所定の計量値を許容基準値内になる方向へ調節することを特徴とする請求項４９に記載の発明。